(57)【要約】【課題】用紙の裏面に関する属性の情報を用紙に関する属性の情報に含めることができるようにした情報処理装置を提供する。【解決手段】情報処理装置の第１の受付手段は、画像を印刷する用紙の表面に関する属性の情報を受け付け、第２の受付手段は、前記用紙の裏面に関する属性の情報を受け付け、記憶制御手段は、前記第１の受付手段によって受け付けられた表面に関する属性の情報と前記第２の受付手段によって受け付けられた裏面に関する属性の情報を前記用紙に関する属性の情報として記憶手段に記憶させるように制御する。【選択図】図１
2014016813.tif 000002
【特許請求の範囲】
【請求項１】
画像を印刷する用紙の表面に関する属性の情報を受け付ける第１の受付手段と、
前記用紙の裏面に関する属性の情報を受け付ける第２の受付手段と、
前記第１の受付手段によって受け付けられた表面に関する属性の情報と前記第２の受付手段によって受け付けられた裏面に関する属性の情報を前記用紙に関する属性の情報として記憶手段に記憶させるように制御する記憶制御手段
を具備することを特徴とする情報処理装置。
【請求項２】
前記第２の受付手段は、前記用紙の裏面に関する属性の情報として、前記第１の受付手段によって受け付けられた表面に関する属性の情報から選択できるようにする
ことを特徴とする請求項１に記載の情報処理装置。
【請求項３】
前記第２の受付手段は、前記用紙の裏面に関する属性の情報として、前記第１の受付手段によって受け付けられた表面に関する属性の情報によって制約される属性の情報から選択できるようにする
ことを特徴とする請求項１又は２に記載の情報処理装置。
【請求項４】
画像出力装置内の給紙手段を検知する検知手段と、
前記検知手段によって検知された給紙手段を識別するための情報に対して前記記憶手段に記憶されている用紙に関する属性の情報を割り当てる割当手段
をさらに具備することを特徴とする請求項１に記載の情報処理装置。
【請求項５】
用紙の裏面に関する属性の情報の指定を少なくとも含む印刷指示を受け付ける第３の受付手段
をさらに具備し、
前記第２の受付手段は、前記第３の受付手段によって受け付けられた用紙の裏面に関する属性の情報が、前記検知手段によって検知された給紙手段に割り当てられている用紙の裏面に関する属性の情報に合致しない場合に、用紙の裏面に関する属性の情報を受け付けるようにする
ことを特徴とする請求項４に記載の情報処理装置。
【請求項６】
コンピュータを、
画像を印刷する用紙の表面に関する属性の情報を受け付ける第１の受付手段と、
前記用紙の裏面に関する属性の情報を受け付ける第２の受付手段と、
前記第１の受付手段によって受け付けられた表面に関する属性の情報と前記第２の受付手段によって受け付けられた裏面に関する属性の情報を前記用紙に関する属性の情報として記憶手段に記憶させるように制御する記憶制御手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、両面印刷時に媒体の表面と裏面とで異なる設定で印刷することを可能とすることにより、表面と裏面とで媒体の種類が異なる場合やカラーとモノクロなど印刷モードが異なる場合に、それぞれに適した印刷方法で高品質の画像を形成することを課題とし、両面印刷の表面と裏面とについて印刷設定がされている場合、注目ページの印刷設定をロードして、スプールされたメタデータを１ページずつ読み出して、メタデータをラスタライズすると共に設定を反映したプリントデータを生成し、注目ページのプリントデータをプリンタに出力し、この手順について注目ページを進めながら実行することが開示されている。
【先行技術文献】
【特許文献】
【０００３】
【特許文献１】特開２００４−１９９２９２号公報
【発明の概要】
【発明が解決しようとする課題】
【０００４】
本発明は、用紙の裏面に関する属性の情報を用紙に関する属性の情報に含めることができるようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、画像を印刷する用紙の表面に関する属性の情報を受け付ける第１の受付手段と、前記用紙の裏面に関する属性の情報を受け付ける第２の受付手段と、前記第１の受付手段によって受け付けられた表面に関する属性の情報と前記第２の受付手段によって受け付けられた裏面に関する属性の情報を前記用紙に関する属性の情報として記憶手段に記憶させるように制御する記憶制御手段を具備することを特徴とする情報処理装置である。
【０００６】
請求項２の発明は、前記第２の受付手段は、前記用紙の裏面に関する属性の情報として、前記第１の受付手段によって受け付けられた表面に関する属性の情報から選択できるようにすることを特徴とする請求項１に記載の情報処理装置である。
【０００７】
請求項３の発明は、前記第２の受付手段は、前記用紙の裏面に関する属性の情報として、前記第１の受付手段によって受け付けられた表面に関する属性の情報によって制約される属性の情報から選択できるようにすることを特徴とする請求項１又は２に記載の情報処理装置である。
【０００８】
請求項４の発明は、画像出力装置内の給紙手段を検知する検知手段と、前記検知手段によって検知された給紙手段を識別するための情報に対して前記記憶手段に記憶されている用紙に関する属性の情報を割り当てる割当手段をさらに具備することを特徴とする請求項１に記載の情報処理装置である。
【０００９】
請求項５の発明は、用紙の裏面に関する属性の情報の指定を少なくとも含む印刷指示を受け付ける第３の受付手段をさらに具備し、前記第２の受付手段は、前記第３の受付手段によって受け付けられた用紙の裏面に関する属性の情報が、前記検知手段によって検知された給紙手段に割り当てられている用紙の裏面に関する属性の情報に合致しない場合に、用紙の裏面に関する属性の情報を受け付けるようにすることを特徴とする請求項４に記載の情報処理装置である。
【００１０】
請求項６の発明は、コンピュータを、画像を印刷する用紙の表面に関する属性の情報を受け付ける第１の受付手段と、前記用紙の裏面に関する属性の情報を受け付ける第２の受付手段と、前記第１の受付手段によって受け付けられた表面に関する属性の情報と前記第２の受付手段によって受け付けられた裏面に関する属性の情報を前記用紙に関する属性の情報として記憶手段に記憶させるように制御する記憶制御手段として機能させるための情報処理プログラムである。
【発明の効果】
【００１１】
請求項１の情報処理装置によれば、用紙の裏面に関する属性の情報を用紙に関する属性の情報に含めることができる。
【００１２】
請求項２の情報処理装置によれば、裏面に関する属性の情報として、表面に関する属性の情報から選択することができる。
【００１３】
請求項３の情報処理装置によれば、裏面に関する属性の情報として、表面に関する属性の情報によって制約される属性の情報から選択することができる。
【００１４】
請求項４の情報処理装置によれば、給紙手段に対して用紙に関する属性の情報を割り当てることができる。
【００１５】
請求項５の情報処理装置によれば、印刷指示内の用紙の裏面に関する属性の情報が給紙手段に割り当てられていない場合は、用紙の裏面に関する属性の情報を受け付けることができる。
【００１６】
請求項６の情報処理プログラムによれば、用紙の裏面に関する属性の情報を用紙に関する属性の情報に含めることができる。
【図面の簡単な説明】
【００１７】
【図１】第１の実施の形態の構成例についての概念的なモジュール構成図である。
【図２】第１の実施の形態による処理例を示すフローチャートである。
【図３】設定画面の例を示す説明図である。
【図４】表面の用紙属性設定画面の例を示す説明図である。
【図５】裏面の用紙属性設定画面の例を示す説明図である。
【図６】用紙属性テーブルのデータ構造例を示す説明図である。
【図７】裏面用紙リスト画面の例を示す説明図である。
【図８】用紙リスト画面の例を示す説明図である。
【図９】第２の実施の形態の構成例についての概念的なモジュール構成図である。
【図１０】第２の実施の形態による処理例を示すフローチャートである。
【図１１】第２の実施の形態による処理例を示すフローチャートである。
【図１２】本実施の形態を実現するコンピュータのハードウェア構成例を示すブロック図である。
【発明を実施するための形態】
【００１８】
以下、図面に基づき本発明を実現するにあたっての好適な各種の実施の形態の例を説明する。
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１９】
第１の実施の形態である情報処理装置は、用紙の表面と裏面に関する属性の情報を含めて、用紙に関する属性の情報（例えば、ファイル）として記憶装置に記憶させるものであって、図１の例に示すように、用紙属性設定受付モジュール１１０、表面用紙属性受付モジュール１２０、裏面用紙属性受付モジュール１３０、記憶制御モジュール１４０、用紙属性記憶モジュール１５０を有している。例えば、複写機、ファックス、プリンタ、複合機（スキャナ、プリンタ、複写機、ファックス等のいずれか２つ以上の機能を有している画像処理装置）等に用いられる。ここで、用紙に関する属性の情報（ストックファイルと言われることがある）とは、給紙手段（例えば、トレイと言われるものを含む）に対して用紙の属性を設定するものである。
【００２０】
用紙に関する属性の情報の用い方としては、以下のようである。
（１）給紙手段に格納された用紙について、その用紙に関する属性の情報が給紙手段に割り当てられる。
（２）印刷が行われる場合に、その印刷時に指定した用紙に関する属性に合致した給紙手段が選択される。
（３）そして、給紙手段に割り当てられた用紙に関する属性を用いて、その給紙手段内の用紙に適した画質で印刷が行われる。
【００２１】
用紙属性設定受付モジュール１１０は、表面用紙属性受付モジュール１２０、裏面用紙属性受付モジュール１３０と接続されている。用紙属性設定受付モジュール１１０は、用紙に関する属性の設定指示を受け付ける。その設定指示には、用紙の裏面に関する属性の情報の設定を含む。つまり、単なる用紙に関する属性ではなく、その用紙の表面と裏面を区別して設定するものである。
表面用紙属性受付モジュール１２０は、用紙属性設定受付モジュール１１０、記憶制御モジュール１４０と接続されている。表面用紙属性受付モジュール１２０は、画像を印刷する用紙の表面に関する属性の情報を受け付ける。ここで情報を受け付けるとは、キーボード、マウス、タッチパネル等に対する操作者の操作（以下、「操作者の操作」という場合は、「キーボード、マウス、タッチパネル等に対する操作者の操作」をいう）による情報を受け付けるようにしてもよいし、予め定められた情報を受け付けるようにしてもよい。また、表面に関する属性の情報としては、例えば、サイズ（Ａ４等の用紙の大きさを示す情報）、タイプ（普通紙等の用紙の種類を示す情報）、コート（その面がコーティングされているか否かを示す情報）、１組の枚数（タブ付き用紙等における組を構成する用紙の枚数を示す情報）、パンチ穴（その用紙にパンチ穴があるか否かを示す情報、パンチ穴がある場合はその数、大きさ、位置等を示す情報）、色（その面に着色されている色を示す情報）、質量（単位面積あたりの質量を示す情報、坪量とも呼ばれる）、紙目（縦目、横目等を示す情報）等がある。
【００２２】
裏面用紙属性受付モジュール１３０は、用紙属性設定受付モジュール１１０、記憶制御モジュール１４０と接続されている。裏面用紙属性受付モジュール１３０は、用紙（表面用紙属性受付モジュール１２０によって受け付けられた情報を有する用紙）の裏面に関する属性の情報を受け付ける。裏面に関する属性の情報の具体例は、前述の表面に関する属性の情報と同様である。情報を受け付けるとは、操作者の操作による情報を受け付けるようにしてもよいし、予め定められた情報を受け付けるようにしてもよいし、表面用紙属性受付モジュール１２０によって受け付けられた表面に関する属性の情報に基づいた情報を、そのまま裏面に関する属性の情報として受け付けるようにしてもよい。
【００２３】
また、裏面用紙属性受付モジュール１３０は、用紙の裏面に関する属性の情報として、表面用紙属性受付モジュール１２０によって受け付けられた表面に関する属性の情報から選択できるようにしてもよい。例えば、表面用紙属性受付モジュール１２０によって受け付けられた表面に関する属性の情報をそのまま裏面に関する属性の情報として表示し、修正できるようにしてもよい。また、裏面に関する属性の情報として、予め定められた情報から選択できるようにした場合に、表面用紙属性受付モジュール１２０によって受け付けられた表面に関する属性の情報を他の予め定められた情報と比べて優先して選択できるようにしてもよい。「優先して」とは、具体的には、表示する際に先頭に表示する等がある。また、選択可能である予め定められた情報内に、表面用紙属性受付モジュール１２０によって受け付けられた表面に関する属性の情報がない場合は、表面に関する属性の情報を選択可能な情報に加えるようにしてもよい。
【００２４】
また、裏面用紙属性受付モジュール１３０は、用紙の裏面に関する属性の情報として、表面用紙属性受付モジュール１２０によって受け付けられた表面に関する属性の情報によって制約される属性の情報から選択できるようにしてもよい。ここで「制約される」とは、表面に関する属性の情報が決定された場合に、裏面に関する属性が取り得る情報として予め定められた範囲になることをいう。例えば、表面に関する属性の情報として、サイズ、パンチ穴、質量等は、裏面に関する属性の情報としても同じでなければならない。また、色等に関しては、表面と裏面の色の組み合わせは予め定められているので、その組み合わせ内から裏面の色を選択できる範囲が決まることになる。この実現手法としては、色の組み合わせに関する情報を記憶しておき、その組み合わせを参照することによって、表面の色が決まった場合に、裏面の色として選択できる色を抽出すればよい。
【００２５】
記憶制御モジュール１４０は、表面用紙属性受付モジュール１２０、裏面用紙属性受付モジュール１３０、用紙属性記憶モジュール１５０と接続されている。記憶制御モジュール１４０は、表面用紙属性受付モジュール１２０によって受け付けられた表面に関する属性の情報と裏面用紙属性受付モジュール１３０によって受け付けられた裏面に関する属性の情報を用紙に関する属性の情報として用紙属性記憶モジュール１５０に記憶させるように制御する。
用紙属性記憶モジュール１５０は、記憶制御モジュール１４０と接続されている。用紙属性記憶モジュール１５０は、用紙に関する属性の情報を記憶する。もちろんのことながら、用紙に関する属性の情報として、表面に関する属性と裏面に関する属性の情報が含まれる。
【００２６】
図２は、第１の実施の形態による処理例を示すフローチャートである。この処理は、印刷開始前であれば、どのようなタイミングで行ってもよい。たとえば、印刷指示の際であってもよいし、給紙手段に用紙をセットする際であってもよい。
ステップＳ２０２では、用紙属性設定受付モジュール１１０が、用紙属性設定指示があったか否かを判断し、あった場合はステップＳ２０４へ進み、なかった場合は指示があるまで待つ。
ステップＳ２０４では、用紙属性設定受付モジュール１１０が、設定画面を表示する。例えば、用紙属性設定受付モジュール１１０が、設定画面３００を画面に表示する。図３は、設定画面３００の例を示す説明図である。設定画面３００には、用紙属性詳細表示領域３１０、用紙属性ライブラリー（表面）設定ボタン３２０、用紙属性ライブラリー（裏面）設定ボタン３３０、推奨用紙リスト表示ボタン３４０、用紙属性新規作成ボタン３５０、用紙トレイ使用設定領域３６０、アライメント調整領域３６５、その他設定領域３７０、ヘルプボタン３７５、決定ボタン３８０、取り消しボタン３８５が表示されている。また、用紙属性詳細表示領域３１０は、属性表示領域３１２、コメント記載領域３１４、たて置き／よこ置き設定領域３１６を有している。なお、設定画面３００は、本情報処理装置が内蔵されている複写機、ファックス、プリンタ、複合機等に備えつけられているディスプレイに表示する。以下の説明において、表面の用紙属性設定画面４００、裏面の用紙属性設定画面５００、裏面用紙リスト画面７００、用紙リスト画面８００についても同様である。
設定画面３００は、用紙に関する属性の情報を給紙手段（図３では用紙トレイ）に割り当てるためのものである。設定画面３００は、給紙手段毎に表示され、例えば、用紙トレイ使用設定領域３６０によって、「この用紙トレイを使用する」、「この用紙トレイを使用しない」のいずれかが選択されるようになっており、「この用紙トレイを使用する」が選択された場合は、属性表示領域３１２内に表示されている用紙に関する属性の情報を、対象としている用紙トレイに対応付ける。
また、用紙属性ライブラリー（表面）設定ボタン３２０、用紙属性ライブラリー（裏面）設定ボタン３３０によって、表面に関する属性の情報、裏面に関する属性の情報の予め定められたデータベースから、この用紙トレイに対応する表面に関する属性の情報、裏面に関する属性の情報が選択される。なお、データベースは用紙属性記憶モジュール１５０内にある。
もちろんのことながら、裏面が不要である場合は、裏面に関する属性の情報の指定は不要である。また、裏面に関する属性の情報の指定がない場合は、表面に関する属性の情報をその裏面に関する属性の情報として、そのまま利用してもよい。
用紙属性新規作成ボタン３５０が選択されることによって、ステップＳ２０６へ進む。その際に、表面の設定であるか裏面の設定であるかの選択が行われる。
【００２７】
ステップＳ２０６では、用紙属性設定受付モジュール１１０が、表面であるか裏面であるかを判断し、表面である場合はステップＳ２０８へ進み、裏面である場合はステップＳ２５８へ進む。なお、裏面の設定が不要な場合は、ステップＳ２５８以降の処理は行わない。そして、表面と裏面の両方が必要な場合は、ステップＳ２０８〜Ｓ２１８の処理が終了した後に、ステップＳ２５８〜Ｓ２６８の処理を行う。また、裏面の設定が不要な場合として、裏面が表面の設定と同じ場合を含めてもよい。
ステップＳ２０８では、表面用紙属性受付モジュール１２０が、表面設定画面を表示する。例えば、表面用紙属性受付モジュール１２０が、表面の用紙属性設定画面４００を画面に表示する。図４は、表面の用紙属性設定画面４００の例を示す説明図である。表面の用紙属性設定画面４００には、用紙属性詳細表示領域４２０、名称表示領域４２５、コメント記載領域４３０、サイズ設定領域４３５、色設定領域４４０、質量設定領域４４５、紙目設定領域４５０、タイプ設定領域４５５、コート設定領域４６０、１組の枚数設定領域４６５、パンチ穴設定領域４７０、高度な設定ボタン４７５、用紙属性ライブラリーに保存設定領域４８０、確認プリントボタン４８５、ヘルプボタン４９０、決定ボタン４９２、取り消しボタン４９４が表示されている。
用紙属性詳細表示領域４２０には、サイズ設定領域４３５等によって設定された情報を表示する。表面に関する属性の情報として、サイズ設定領域４３５、色設定領域４４０、質量設定領域４４５、紙目設定領域４５０、タイプ設定領域４５５、コート設定領域４６０、１組の枚数設定領域４６５、パンチ穴設定領域４７０によって設定される。さらに、高度な設定ボタン４７５によって、表面に関する属性の情報として、定着温度の設定、用紙のカール補正パラメータ等の設定が行われる。なお、名称表示領域４２５によって、表面に関する属性の情報群の名称を設定でき、コメント記載領域４３０によって、それに対するコメントが記載できる。また、用紙属性ライブラリーに保存設定領域４８０によって、表面に関する属性の情報群を前述のデータベースに登録するように設定できる。
ステップＳ２１０では、表面用紙属性受付モジュール１２０が、設定を受け付ける。前述の例では、表面の用紙属性設定画面４００を用いて設定を受け付ける。
【００２８】
ステップＳ２１２では、表面用紙属性受付モジュール１２０が、対応する裏面（対象としている表面と同じ用紙における裏面）の設定ファイルを受け付ける。なお、対応する裏面の設定ファイルがない場合は、ステップＳ２１４、Ｓ２１６の処理は行わない。
ステップＳ２１４では、表面用紙属性受付モジュール１２０が、表面と裏面との間で対応不可の属性があるか否かを判断し、ある場合はステップＳ２１６へ進み、ない場合はステップＳ２１８へ進む。対応不可の属性とは、その表面に関する属性の情報によって制約される範囲内に、対応する裏面に関する属性の情報が収まっていない場合をいう。例えば、「表面に関する属性の情報」と「その表面に関する属性の情報によって制約される裏面に関する属性の情報の範囲」を対応させて記憶しているテーブルを予め用意しておき、そのテーブルを参照することによって、ステップＳ２１４の判断を行うようにしてもよい。なお、表面に対する裏面の対応を示しているが、逆の場合であってもよい。
ステップＳ２１６では、表面用紙属性受付モジュール１２０が、属性を修正する。ここでの属性の情報の修正は、裏面に関する属性の情報の修正であってもよいし、表面に関する属性の情報であってもよい。また、裏面に関する属性の情報の修正は、表面に関する属性の情報によって制約される属性の情報から選択できるようにする。表面に関する属性の情報の修正は、裏面に関する属性の情報によって制約される属性の情報から選択できるようにする。もちろんのことながら、選択は、操作者の操作によって行われる。
【００２９】
ステップＳ２１８では、記憶制御モジュール１４０が、用紙属性ファイルを用紙属性記憶モジュール１５０に記憶させる。例えば、用紙属性テーブル６００を用紙属性記憶モジュール１５０に記憶させる。図６は、用紙属性テーブル６００のデータ構造例を示す説明図である。用紙属性テーブル６００は、名称欄６０２、表面／裏面欄６０４、サイズ欄６０６、タイプ欄６０８、コート欄６１０、１組の枚数欄６１２、パンチ穴欄６１４、色欄６１６、質量欄６１８、紙目欄６２０等を有している。名称欄６０２は、名称表示領域４２５によって設定された名称を記憶する。表面／裏面欄６０４は、ここでは表面であることを示す情報を記憶する。サイズ欄６０６は、サイズ設定領域４３５によって設定されたサイズを示す情報を記憶する。タイプ欄６０８は、タイプ設定領域４５５によって設定されたタイプを示す情報を記憶する。コート欄６１０は、タイプ設定領域４５５によって設定されたコートを示す情報を記憶する。１組の枚数欄６１２は、タイプ設定領域４５５によって設定された１組の枚数を示す情報を記憶する。パンチ穴欄６１４は、タイプ設定領域４５５によって設定されたパンチ穴を示す情報を記憶する。色欄６１６は、タイプ設定領域４５５によって設定された色を示す情報を記憶する。質量欄６１８は、タイプ設定領域４５５によって設定された質量を示す情報を記憶する。紙目欄６２０は、タイプ設定領域４５５によって設定された紙目を示す情報を記憶する。
【００３０】
ステップＳ２５８では、裏面用紙属性受付モジュール１３０が、裏面設定画面を表示する。例えば、裏面用紙属性受付モジュール１３０が、裏面の用紙属性設定画面５００を画面に表示する。図５は、裏面の用紙属性設定画面５００の例を示す説明図である。裏面の用紙属性設定画面５００には、用紙属性詳細表示領域５２０、名称表示領域５２５、コメント記載領域５３０、サイズ設定領域５３５、色設定領域５４０、質量設定領域５４５、紙目設定領域５５０、タイプ設定領域５５５、コート設定領域５６０、１組の枚数設定領域５６５、パンチ穴設定領域５７０、高度な設定ボタン５７５、用紙属性ライブラリーに保存設定領域５８０、確認プリントボタン５８５、ヘルプボタン５９０、決定ボタン５９２、取り消しボタン５９４が表示されている。
用紙属性詳細表示領域５２０には、サイズ設定領域５３５等によって設定された情報を表示する。裏面に関する属性の情報として、サイズ設定領域５３５、色設定領域５４０、質量設定領域５４５、紙目設定領域５５０、タイプ設定領域５５５、コート設定領域５６０、１組の枚数設定領域５６５、パンチ穴設定領域５７０によって設定される。さらに、高度な設定ボタン５７５によって、裏面に関する属性の情報として、定着温度の設定、用紙のカール補正パラメータ等の設定が行われる。なお、名称表示領域５２５によって、裏面に関する属性の情報群の名称を設定でき、コメント記載領域５３０によって、それに対するコメントが記載できる。また、用紙属性ライブラリーに保存設定領域５８０によって、裏面に関する属性の情報群を前述のデータベースに登録するように設定できる。図４に例示した表面の用紙属性設定画面４００と同等である。
ただし、表面／裏面の設定表示５１０は、裏面に関する表示であることを示している。また、既に、対応する表面に関する属性の情報が設定されている場合は、裏面の用紙属性設定画面５００で設定できる属性の情報として、その表面に関する属性の情報から選択できるようにしてもよい。つまり、予め定められた属性の情報（いわゆるデフォルト情報）として、対応する表面に関する属性の情報を表示してもよい。
また、裏面に関する属性の情報として、表面の用紙属性設定画面４００で設定された表面に関する属性の情報によって制約される属性の情報から選択できるようにしてもよい。つまり、選択し得る属性の情報として、対応する表面に関する属性の情報による制約範囲内の情報を表示してもよい。そして、表面に関する属性の情報によっては、裏面に関する属性の情報を設定することが不要（不可能でもよい）な場合は、その属性の項目を表示しない、又は設定不可能にしてもよい。
【００３１】
ステップＳ２６０では、裏面用紙属性受付モジュール１３０が、設定を受け付ける。前述の例では、裏面の用紙属性設定画面５００を用いて設定を受け付ける。
ステップＳ２６２では、裏面用紙属性受付モジュール１３０が、対応する表面（対象としている裏面と同じ用紙における表面）の設定ファイルを受け付ける。なお、対応する表面の設定ファイルがない場合は、ステップＳ２６４、Ｓ２６６の処理は行わない。
ステップＳ２６４では、裏面用紙属性受付モジュール１３０が、表面と裏面との間で対応不可の属性があるか否かを判断し、ある場合はステップＳ２６６へ進み、ない場合はステップＳ２６８へ進む。対応不可の属性とは、その表面に関する属性の情報によって制約される範囲内に、対応する裏面に関する属性の情報が収まっていない場合をいう。例えば、「表面に関する属性の情報」と「その表面に関する属性の情報によって制約される裏面に関する属性の情報の範囲」を対応させて記憶しているテーブルを予め用意しておき、そのテーブルを参照することによって、ステップＳ２６４の判断を行うようにしてもよい。なお、表面に対する裏面の対応を示しているが、逆の場合であってもよい。
ステップＳ２６６では、裏面用紙属性受付モジュール１３０が、属性を修正する。ここでの属性の情報の修正は、裏面に関する属性の情報の修正であってもよいし、表面に関する属性の情報であってもよい。また、裏面に関する属性の情報の修正は、表面に関する属性の情報によって制約される属性の情報から選択できるようにする。表面に関する属性の情報の修正は、裏面に関する属性の情報によって制約される属性の情報から選択できるようにする。もちろんのことながら、選択は、操作者の操作によって行われる。
ステップＳ２６８では、記憶制御モジュール１４０が、用紙属性ファイルを用紙属性記憶モジュール１５０に記憶させる。例えば、用紙属性テーブル６００を用紙属性記憶モジュール１５０に記憶させる。用紙属性テーブル６００は、表面に関する属性の情報と同等のものを記憶するが、表面／裏面欄６０４は、ここでは裏面であることを示す情報を記憶することとなる。
【００３２】
なお、裏面用紙属性受付モジュール１３０は、用紙のカール補正パラメータとして、表面が裏面よりも先に印刷されることが確定している場合には、その複写機等によって印刷が行われた場合におけるカール補正パラメータを算出して設定するようにしてもよい。例えば、その複写機等における印刷が行われた場合において、本来（印刷が行われる前の状態における用紙）のカール補正パラメータに乗算等する係数を予め記憶しているテーブルを用意しておく。そして、そのテーブルを参照して、印刷後のカール補正パラメータを算出するようにしてもよい。
【００３３】
また、図３に例示した設定画面３００内の用紙属性ライブラリー（裏面）設定ボタン３３０が指定された場合について説明する。用紙属性ライブラリー（裏面）設定ボタン３３０が指定された場合に、用紙属性記憶モジュール１５０内に記憶されている既に作成された裏面に関する属性のファイルを提示するようにしてもよいし、既に作成された表面に関する属性の情報に基づいて、裏面に関する属性の情報が記憶されているファイルを生成して提示するようにしてもよい。
例えば、裏面用紙リスト画面７００のように提示する。図７は、裏面用紙リスト画面７００の例を示す説明図である。裏面用紙リスト画面７００には、裏面用紙リスト７１０、標準のレイアウトボタン７３０、プロパティボタン７３５、登録ボタン７４０、ヘルプボタン７４５、確認ボタン７５０が表示されている。裏面用紙リスト７１０は、名称欄７１２、タイプ欄７１４、コート欄７１６、１組の枚数欄７１８、パンチ穴欄７２０、色欄７２２、質量欄７２４を有している。裏面用紙リスト７１０内に、裏面に関する属性の情報を提示する。
表面に関する属性の情報が既に設定されている場合に、裏面に関する属性を設定するときは、表面に関する属性の情報によって制約される範囲内での組み合わせとなるファイルを生成して、その生成した裏面に関する属性のファイルを提示するようにしてもよい。また、その場合に、裏面では不要とする属性を除外して作成するようにしてもよい。例えば、用紙のタイプとしてＯＨＰ（ＯｖｅｒＨｅａｄ  Ｐｒｏｊｅｃｔｏｒ）用紙の場合は、裏面の属性としては用紙のタイプだけがＯＨＰ用紙に設定されており、他の属性は不要である。これらは、用紙のタイプ毎に、属性が要／不要となることを示すテーブルを予め用意しておき、このテーブルを参照して、属性が不要であるか否かを判断すればよい。
【００３４】
また、表面に関する属性の情報（Ａ−１）を設定する場合に、既に設定済みの表面に関する属性（Ｂ−１）を選択して、その選択した表面に関する属性（Ｂ−１）に対して裏面に関する属性（Ｂ−２）が設定されているときは、その裏面に関する属性（Ｂ−２）を、表面に関する属性の情報（Ａ−１）に対する裏面に関する属性（Ａ−２）として設定してもよい。また、表面に関する属性の情報（Ａ−１）を設定する場合に、既に設定済みの表面に関する属性（Ｂ−１）を選択して、その選択した表面に関する属性（Ｂ−１）に対して裏面に関する属性（Ｂ−２）が設定されていないときは、表面に関する属性の情報（Ａ−１）に対する裏面に関する属性（Ａ−２）を設定した後に、その裏面に関する属性（Ａ−２）を、選択した表面に関する属性（Ｂ−１）に対する裏面に関する属性（Ｂ−２）として設定してもよい。また、表面に関する属性を設定した場合に、その設定した属性の情報によって制約される属性の情報の範囲内の組み合わせで、裏面の属性の情報を複数設定するようにしてもよい。これらは、逆の関係（表面に関する属性を裏面に関する属性とし、裏面に関する属性を表面に関する属性として読み替える）であってもよい。図８は、用紙リスト画面８００の例を示す説明図である。用紙リスト画面８００には、用紙リスト８１０、標準のレイアウトボタン８３０、プロパティボタン８３５、ヘルプボタン８４０、決定ボタン８４５、取り消しボタン８５０が表示されている。用紙リスト８１０は、名称欄８１２、サイズ欄８１４、タイプ欄８１６、コート欄８１８、１組の枚数欄８２０、パンチ穴欄８２２、色欄８２４、質量欄８２６を有している。用紙リスト画面８００は、１つの表面に関する属性から、複数の裏面に関する属性（図８の用紙リスト８１０内の背景が黒くなっている行）を生成したことを示している例である。
【００３５】
図９は、第２の実施の形態の構成例についての概念的なモジュール構成図である。第２の実施の形態である情報処理装置は、第１の実施の形態に主に印刷機能を付加したものであって、図９の例に示すように、印刷設定受付モジュール９１０、給紙手段検知モジュール９２０、給紙手段−用紙属性割当モジュール９３０、印刷モジュール９４０、用紙属性設定受付モジュール１１０、表面用紙属性受付モジュール１２０、裏面用紙属性受付モジュール１３０、記憶制御モジュール１４０、用紙属性記憶モジュール１５０を有している。なお、第１の実施の形態と同種の部位には同一符号を付し重複した説明を省略する。
【００３６】
印刷設定受付モジュール９１０は、給紙手段検知モジュール９２０と接続されている。印刷設定受付モジュール９１０は、用紙の裏面に関する属性の情報の指定を少なくとも含む印刷指示を受け付ける。例えば、操作者の操作による文書の印刷指示を受け付ける。そして、その印刷指示には、印刷する用紙の裏面に関する属性の情報の指定を少なくとも含む。例えば、両面印刷の指定であって、裏面に関して色等の属性の指定が含まれている場合が該当する。
給紙手段検知モジュール９２０は、印刷設定受付モジュール９１０、給紙手段−用紙属性割当モジュール９３０と接続されている。給紙手段検知モジュール９２０は、本情報処理装置内の給紙手段を検知する。例えば、給紙手段の有無、そのサイズ、その給紙手段内に入っている用紙等を検知する。
給紙手段−用紙属性割当モジュール９３０は、給紙手段検知モジュール９２０、印刷モジュール９４０、用紙属性記憶モジュール１５０と接続されている。給紙手段−用紙属性割当モジュール９３０は、給紙手段検知モジュール９２０によって検知された給紙手段を識別するための情報に対して用紙属性記憶モジュール１５０に記憶されている用紙に関する属性の情報を割り当てる。例えば、給紙手段に用紙をセットした場合（セットした直後、給紙手段検知モジュール９２０が検知したとき等を含む）、前述の設定画面３００を提示し、操作者の操作によって、給紙手段と用紙に関する属性の情報を割り当てる。
印刷モジュール９４０は、給紙手段−用紙属性割当モジュール９３０と接続されている。印刷モジュール９４０は、印刷設定受付モジュール９１０が受け付けた印刷指示に基づいて、用紙に印刷する。その印刷する際に、給紙手段に割り当てられている用紙に関する属性の情報を用いて、その用紙に適した印刷パラメータを設定して印刷を行う。
【００３７】
裏面用紙属性受付モジュール１３０は、印刷設定受付モジュール９１０によって受け付けられた用紙の裏面に関する属性の情報が、給紙手段検知モジュール９２０によって検知された給紙手段に割り当てられている用紙の裏面に関する属性の情報に合致しない場合に、用紙の裏面に関する属性の情報を受け付けるようにする。裏面用紙属性受付モジュール１３０が起動させられる契機が異なるだけで、第１の実施の形態で説明した裏面用紙属性受付モジュール１３０と同等の処理を行う。
用紙属性記憶モジュール１５０は、記憶制御モジュール１４０、給紙手段−用紙属性割当モジュール９３０と接続されている。用紙属性記憶モジュール１５０は、記憶制御モジュール１４０によって記憶させられた用紙に関する属性の情報を、給紙手段に割り当てるために給紙手段−用紙属性割当モジュール９３０に提供する。
【００３８】
図１０は、第２の実施の形態による処理例を示すフローチャートである。印刷設定受付モジュール９１０、給紙手段検知モジュール９２０による処理が行われた後の処理例を示すものである。
ステップＳ１００２では、給紙手段−用紙属性割当モジュール９３０が、印刷指示内における裏面の用紙属性設定の有無を判断し、“あり”の場合はステップＳ１００６へ進み、“なし”の場合はステップＳ１００４へ進む。
ステップＳ１００４では、給紙手段−用紙属性割当モジュール９３０が、印刷指示内における表面の属性の設定に合致する給紙手段を選択する。そして、ステップＳ１０１２へ進む。なお、この場合、裏面に関する属性の設定はあっても無くてもよい。
ステップＳ１００６では、給紙手段−用紙属性割当モジュール９３０が、印刷指示内における表面と裏面の用紙属性が一致する給紙手段の有無を判断し、“あり”の場合（つまり、現状で印刷指示にしたがった印刷が可能である場合）はステップＳ１０１０へ進み、“なし”の場合はステップＳ１００８へ進む。
ステップＳ１００８では、給紙手段−用紙属性割当モジュール９３０が、表面、裏面の用紙属性確認を画面に表示する。この処理の内容の詳細については、図１１に例示のフローチャートを用いて後述する。
ステップＳ１０１０では、給紙手段−用紙属性割当モジュール９３０が、表面、裏面の用紙属性が一致した給紙手段の用紙を選択する。
ステップＳ１０１２では、印刷モジュール９４０が、印刷指示にしたがった印刷を開始する。
【００３９】
図１１は、第２の実施の形態による処理例を示すフローチャートである。図１０に例示のフローチャート内のステップＳ１００８の処理について詳述したものである。
ステップＳ１１０２では、給紙手段−用紙属性割当モジュール９３０が、表面の用紙属性が一致する給紙手段の有無を判断し、“あり”の場合はステップＳ１１０６へ進み、“なし”の場合はステップＳ１１０４へ進む。
ステップＳ１１０４では、表面用紙属性受付モジュール１２０が、表面の用紙属性を変更する。そして、ステップＳ１１０２へ戻る。
ステップＳ１１０６では、給紙手段−用紙属性割当モジュール９３０が、裏面の用紙属性が一致する給紙手段の有無を判断し、“あり”の場合はステップＳ１１１０へ進み、“なし”の場合はステップＳ１１０８へ進む。
ステップＳ１１０８では、裏面用紙属性受付モジュール１３０が、裏面の用紙属性を変更する。そして、ステップＳ１１０２へ戻る。
ここまでの処理は、印刷指示内で指定した用紙属性に合致する給紙手段がないことにより、給紙手段にその用紙属性に合致する用紙を設置した後に又は設置する前に、給紙手段に割り当てる用紙属性を生成するものである。これらの処理は、前述した表面用紙属性受付モジュール１２０、裏面用紙属性受付モジュール１３０による処理と同等である。
【００４０】
ステップＳ１１１０では、給紙手段−用紙属性割当モジュール９３０が、印刷指示内で指定した表面と裏面の用紙属性と合致した給紙手段の用紙を選択する。ステップＳ１１０４、ステップＳ１１０８の処理によって給紙手段には、印刷指示内で指定した表面と裏面の用紙属性と合致したものが対応付けられている。
ステップＳ１１１２では、印刷モジュール９４０が、印刷を開始する。つまり、その給紙手段内の用紙に適した画質で印刷を行う。
【００４１】
図１２を参照して、本実施の形態の情報処理装置のハードウェア構成例について説明する。図１２に示す構成は、例えばパーソナルコンピュータ（ＰＣ）などによって構成されるものであり、スキャナ等のデータ読み取り部１２１７と、プリンタなどのデータ出力部１２１８を備えたハードウェア構成例を示している。
【００４２】
ＣＰＵ（Ｃｅｎｔｒａｌ  Ｐｒｏｃｅｓｓｉｎｇ  Ｕｎｉｔ）１２０１は、前述の実施の形態において説明した各種のモジュール、すなわち、用紙属性設定受付モジュール１１０、表面用紙属性受付モジュール１２０、裏面用紙属性受付モジュール１３０、記憶制御モジュール１４０、印刷設定受付モジュール９１０、給紙手段検知モジュール９２０、給紙手段−用紙属性割当モジュール９３０等の各モジュールの実行シーケンスを記述したコンピュータ・プログラムにしたがった処理を実行する制御部である。
【００４３】
ＲＯＭ（Ｒｅａｄ  Ｏｎｌｙ  Ｍｅｍｏｒｙ）１２０２は、ＣＰＵ１２０１が使用するプログラムや演算パラメータ等を格納する。ＲＡＭ（Ｒａｎｄｏｍ  Ａｃｃｅｓｓ  Ｍｅｍｏｒｙ）１２０３は、ＣＰＵ１２０１の実行において使用するプログラムや、その実行において適宜変化するパラメータ等を格納する。これらはＣＰＵバスなどから構成されるホストバス１２０４により相互に接続されている。
【００４４】
ホストバス１２０４は、ブリッジ１２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１２０６に接続されている。
【００４５】
キーボード１２０８、マウス、タッチパネル等のポインティングデバイス１２０９は、操作者により操作される入力デバイスである。ディスプレイ１２１０は、液晶表示装置又はＣＲＴ（Ｃａｔｈｏｄｅ  Ｒａｙ  Ｔｕｂｅ）などがあり、各種情報をテキストやイメージ情報として表示する。
【００４６】
ＨＤＤ（Ｈａｒｄ  Ｄｉｓｋ  Ｄｒｉｖｅ）１２１１は、ハードディスクを内蔵し、ハードディスクを駆動し、ＣＰＵ１２０１によって実行するプログラムや情報を記録又は再生させる。ハードディスクには、用紙属性情報、給紙手段との割り当て情報などが格納される。さらに、その他の各種のデータ処理プログラム等、各種コンピュータ・プログラムが格納される。
【００４７】
ドライブ１２１２は、装着されている磁気ディスク、光ディスク、光磁気ディスク、又は半導体メモリ等のリムーバブル記録媒体１２１３に記録されているデータ又はプログラムを読み出して、そのデータ又はプログラムを、インタフェース１２０７、外部バス１２０６、ブリッジ１２０５、及びホストバス１２０４を介して接続されているＲＡＭ１２０３に供給する。リムーバブル記録媒体１２１３も、ハードディスクと同様のデータ記録領域として利用可能である。
【００４８】
接続ポート１２１４は、外部接続機器１２１５を接続するポートであり、ＵＳＢ、ＩＥＥＥ１３９４等の接続部を持つ。接続ポート１２１４は、インタフェース１２０７、及び外部バス１２０６、ブリッジ１２０５、ホストバス１２０４等を介してＣＰＵ１２０１等に接続されている。通信部１２１６は、通信回線に接続され、外部とのデータ通信処理を実行する。データ読み取り部１２１７は、例えばスキャナであり、ドキュメントの読み取り処理を実行する。データ出力部１２１８は、例えばプリンタであり、ドキュメントデータの出力処理を実行する。
【００４９】
なお、図１２に示す情報処理装置のハードウェア構成は、１つの構成例を示すものであり、本実施の形態は、図１２に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１２に示すシステムが複数互いに通信回線によって接続されていて互いに協調動作するようにしてもよい。また、複写機、ファックス、プリンタ、複合機などに組み込まれていてもよい。
【００５０】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００５１】
１１０…用紙属性設定受付モジュール
１２０…表面用紙属性受付モジュール
１３０…裏面用紙属性受付モジュール
１４０…記憶制御モジュール
１５０…用紙属性記憶モジュール
９１０…印刷設定受付モジュール
９２０…給紙手段検知モジュール
９３０…給紙手段−用紙属性割当モジュール
９４０…印刷モジュール
【図１】
2014016813.tif 000003
【図２】
2014016813.tif 000004
【図３】
2014016813.tif 000005
【図４】
2014016813.tif 000006
【図５】
2014016813.tif 000007
【図６】
2014016813.tif 000008
【図７】
2014016813.tif 000009
【図８】
2014016813.tif 000010
【図９】
2014016813.tif 000011
【図１０】
2014016813.tif 000012
【図１１】
2014016813.tif 000013
【図１２】
2014016813.tif 000014